【手続補正書】
【提出日】平成24年3月22日(2012.3.22)
【手続補正１】
【補正対象書類名】特許請求の範囲
【補正対象項目名】請求項１
【補正方法】変更
【補正の内容】
【請求項１】
テトラヒドロフラン可溶分のゲルパーミエーションクロマトグラム（ＧＰＣ）チャート上の面積比率において、１核体および２核体の含有量が６％以下である合板接着用レゾール型フェノール樹脂。
【手続補正２】
【補正対象書類名】特許請求の範囲
【補正対象項目名】請求項２
【補正方法】変更
【補正の内容】
【請求項２】
ハイオルソノボラック型フェノール樹脂のレゾールを含む請求項１に記載の合板接着用レゾール型フェノール樹脂。
【手続補正３】
【補正対象書類名】特許請求の範囲
【補正対象項目名】請求項３
【補正方法】変更
【補正の内容】
【請求項３】
テトラヒドロフラン可溶分のゲルパーミエーションクロマトグラム（ＧＰＣ）チャート上の面積比率において、５核体以上のハイオルソノボラック型フェノール樹脂のレゾールを７０％以上含む請求項１または２に記載の合板接着用レゾール型フェノール樹脂。
【手続補正４】
【補正対象書類名】特許請求の範囲
【補正対象項目名】請求項４
【補正方法】変更
【補正の内容】
【請求項４】
フーリエ変換赤外分光光度計（ＦＴ−ＩＲ）を用いて測定され、芳香環中のＣ＝Ｃ結合に由来するピーク強度に対する、メチロール基から誘導されるＣ＝Ｏ結合に由来するピーク強度が０．５以上、１以下である請求項１乃至３のいずれかに記載の合板接着用レゾール型フェノール樹脂。
【手続補正５】
【補正対象書類名】特許請求の範囲
【補正対象項目名】請求項５
【補正方法】変更
【補正の内容】
【請求項５】
アルカリ土類金属塩からなる触媒の存在下で、アルデヒド類をフェノール類に対するモル比で０．７以上、１．５以下となる量で反応させ、オルソメチロールフェノールを調製し、次いで、酸性条件下において前記オルソメチロールフェノールを縮合させて、初期縮合物であるハイオルソノボラック型フェノール樹脂を調製し、次いで、アルカリ性触媒の存在下、前記ハイオルソノボラック型フェノール樹脂をアルデヒド類と反応させてレゾール化して得られる合板接着用レゾール型フェノール樹脂。
【手続補正６】
【補正対象書類名】特許請求の範囲
【補正対象項目名】請求項６
【補正方法】変更
【補正の内容】
【請求項６】
前記アルカリ土類金属塩は、酸化マグネシウム、酢酸マグネシウム、酸化カルシウムまたは酢酸亜鉛である請求項５に記載の合板接着用レゾール型フェノール樹脂。
【手続補正７】
【補正対象書類名】特許請求の範囲
【補正対象項目名】請求項７
【補正方法】変更
【補正の内容】
【請求項７】
アルカリ土類金属塩からなる触媒の存在下で、アルデヒド類をフェノール類に対するモル比で０．９以上、１．２以下となる量で反応させ、オルソメチロールフェノールを調製する工程と、
酸性条件下において前記オルソメチロールフェノールを縮合させて、初期縮合物であるハイオルソノボラック型フェノール樹脂を調製する工程と、
アルカリ性触媒の存在下、前記ハイオルソノボラック型フェノール樹脂をアルデヒド類と反応させてレゾール化する工程と、
を含む合板接着用レゾール型フェノール樹脂の製造方法。
【手続補正８】
【補正対象書類名】特許請求の範囲
【補正対象項目名】請求項８
【補正方法】変更
【補正の内容】
【請求項８】
前記アルカリ土類金属塩は、酸化マグネシウム、酢酸マグネシウムまたは酢酸亜鉛である請求項７に記載の合板接着用レゾール型フェノール樹脂の製造方法。
【手続補正９】
【補正対象書類名】特許請求の範囲
【補正対象項目名】請求項９
【補正方法】変更
【補正の内容】
【請求項９】
請求項１乃至６のいずれかに記載の合板接着用レゾール型フェノール樹脂を含む合板用接着剤。
【手続補正１０】
【補正対象書類名】明細書
【補正対象項目名】発明の名称
【補正方法】変更
【補正の内容】
【発明の名称】合板接着用レゾール型フェノール樹脂、その製造方法および用途
【手続補正１１】
【補正対象書類名】明細書
【補正対象項目名】０００１
【補正方法】変更
【補正の内容】
【０００１】
本発明は、合板接着用レゾール型フェノール樹脂、その製造方法および用途に関する。
【手続補正１２】
【補正対象書類名】明細書
【補正対象項目名】００１０
【補正方法】変更
【補正の内容】
【００１０】
本発明は以下に示すことができる。
［１］テトラヒドロフラン可溶分のゲルパーミエーションクロマトグラム（ＧＰＣ）チャート上の面積比率において、１核体および２核体の含有量が６％以下である合板接着用レゾール型フェノール樹脂。
【手続補正１３】
【補正対象書類名】明細書
【補正対象項目名】００１１
【補正方法】変更
【補正の内容】
【００１１】
［２］ハイオルソノボラック型フェノール樹脂のレゾールを含む［１］に記載の合板接着用レゾール型フェノール樹脂。
【手続補正１４】
【補正対象書類名】明細書
【補正対象項目名】００１２
【補正方法】変更
【補正の内容】
【００１２】
［３］テトラヒドロフラン可溶分のゲルパーミエーションクロマトグラム（ＧＰＣ）チャート上の面積比率において、５核体以上のハイオルソノボラック型フェノール樹脂のレゾールを７０％以上含む［１］または［２］に記載の合板接着用レゾール型フェノール樹脂。
【手続補正１５】
【補正対象書類名】明細書
【補正対象項目名】００１３
【補正方法】変更
【補正の内容】
【００１３】
［４］フーリエ変換赤外分光光度計（ＦＴ−ＩＲ）を用いて測定され、芳香環中のＣ＝Ｃ結合に由来するピーク強度に対する、メチロール基から誘導されるＣ＝Ｏ結合に由来するピーク強度が０．５以上、１以下である［１］乃至［３］のいずれかに記載の合板接着用レゾール型フェノール樹脂。
【手続補正１６】
【補正対象書類名】明細書
【補正対象項目名】００１４
【補正方法】変更
【補正の内容】
【００１４】
［５］アルカリ土類金属塩からなる触媒の存在下で、アルデヒド類をフェノール類に対するモル比で０．７以上、１．５以下となる量で反応させ、オルソメチロールフェノールを調製し、次いで、酸性条件下において前記オルソメチロールフェノールを縮合させて、初期縮合物であるハイオルソノボラック型フェノール樹脂を調製し、次いで、アルカリ性触媒の存在下、前記ハイオルソノボラック型フェノール樹脂をアルデヒド類と反応させてレゾール化して得られる合板接着用レゾール型フェノール樹脂。
【手続補正１７】
【補正対象書類名】明細書
【補正対象項目名】００１５
【補正方法】変更
【補正の内容】
【００１５】
［６］前記アルカリ土類金属塩は、酸化マグネシウム、酢酸マグネシウム、酸化カルシウムまたは酢酸亜鉛である［５］に記載の合板接着用レゾール型フェノール樹脂。
【手続補正１８】
【補正対象書類名】明細書
【補正対象項目名】００１６
【補正方法】変更
【補正の内容】
【００１６】
［７］アルカリ土類金属塩からなる触媒の存在下で、アルデヒド類をフェノール類に対するモル比で０．９以上、１．２以下となる量で反応させ、オルソメチロールフェノールを調製する工程と、
酸性条件下において前記オルソメチロールフェノールを縮合させて、初期縮合物であるハイオルソノボラック型フェノール樹脂を調製する工程と、
アルカリ性触媒の存在下、前記ハイオルソノボラック型フェノール樹脂をアルデヒド類と反応させてレゾール化する工程と、
を含む合板接着用レゾール型フェノール樹脂の製造方法。
【手続補正１９】
【補正対象書類名】明細書
【補正対象項目名】００１７
【補正方法】変更
【補正の内容】
【００１７】
［８］前記アルカリ土類金属塩は、酸化マグネシウム、酢酸マグネシウムまたは酢酸亜鉛である［７］に記載の合板接着用レゾール型フェノール樹脂の製造方法。
【手続補正２０】
【補正対象書類名】明細書
【補正対象項目名】００１８
【補正方法】変更
【補正の内容】
【００１８】
［９］［１］乃至［６］のいずれかに記載の合板接着用レゾール型フェノール樹脂を含む合板用接着剤。
【手続補正２１】
【補正対象書類名】明細書
【補正対象項目名】００２２
【補正方法】変更
【補正の内容】
【００２２】
本発明の合板接着用レゾール型フェノール樹脂は、低温接着性に優れているので、１２０℃程度の低温でのプレス工程により厚みが１５ｍｍ以上の厚物合板を製造することができる。これにより、高温での長時間プレスにより合板を生産する場合に比べて、単板の歩減りが小さくなるので、使用する単板の厚さをより薄く設定することができる。そのため、原木から得られる単板の取得率を向上させることができる。さらに、プレス工程における厚みの減少を抑制することができ、製品の歩留まりを向上させることができる。
【手続補正２２】
【補正対象書類名】明細書
【補正対象項目名】００２３
【補正方法】変更
【補正の内容】
【００２３】
また、単板が絶乾状態でなくても合板を作成することができるので、単板の含水率を１０重量％〜２０重量％程度に設定することができる。そのため、単板の乾燥時間等を短縮することができ、さらに単板含水１０重量％〜２０重量％の単板を絶乾状態とすると、３００ｍｍ当たり１０ｍｍ程度収縮するため、幅方向の単板の取得率が３％程度向上する。したがって、合板の製造コストや製造効率を改善するとともに、合板の生産性を向上させることができる。また本発明の合板接着用レゾール型フェノール樹脂は、ホルムアルデヒド放散量が低減され、さらに保存安定性にも優れる。